(57)【要約】【課題】  プラグ挿入孔の周壁に存在する長い切欠部によって生じるプラグ挿入時のプラグの傾きを解決すると共に接触信頼性を向上させること。【解決手段】  プラグ挿入孔１を備えたハウジング２と、プラグ挿入孔１内に臨むべく配した接片類と、プラグ挿入孔１の周壁１ａの切欠部９の前に配し、プラグ挿入孔１に挿入されたプラグｐを直進させるべく案内する金属板部（金属板）１０とからなる。金属板部１０はハウジング２の背後側の取付空間１１に配したチップバネ３の取付帯部３ａと平行に配し、その下端間を底板部３ｅで接続した構成のものであり、切欠部９に配した第１スリーブバネ６の下部付近の前側、即ち、切欠部９の下部側の最前部にプラグ挿入孔１の軸心と平行に配する。金属板部１０は、先端に案内片１０ａを有し、中間部に先端に膨出部１０ｃ１を突出させたプラグ保持用バネ１０ｃを備えたものである。【選択図】  図２
2008300213.tif 000002
【特許請求の範囲】
【請求項１】
プラグ挿入孔を備えたハウジング及び該ハウジングに該プラグ挿入孔内に臨むべく配した複数の接片からなり、該プラグ挿入孔の周壁にその外端付近を除いて軸方向に沿った切欠部を有するジャックに於いて、
前記プラグ挿入孔の周壁に、その切欠部の全部又は一部を閉じるべく、金属板を配設したジャック。
【請求項２】
前記プラグ挿入孔の前記切欠部と対向する側に位置する接片の基部を延長してＵ字形に折曲し、一方の直立板部となる該基部と他方の直立板部とその間の底板部とからなるＵ字形金属片を形成し、前記金属板として、該Ｕ字形金属片の他方の直立板部を採用し、該底板部を該プラグ挿入孔の後端に配置し、かつ該他方の直立板部を該切欠部の全部又は一部を閉じるべく配置して固定した請求項１のジャック。
【請求項３】
前記金属板として、帯状金属片を採用し、該帯状金属片を、前記プラグ挿入孔の前記切欠部の全部又は一部を閉じるべく配置して固定した請求項１のジャック。
【請求項４】
前記金属板として帯状の弾性金属片を採用し、その内部側の一部をその長さ方向に沿ってＵ字形に切り込んで帯状小片を形成し、該帯状小片を、その一部に前記プラグ挿入孔側に向かって膨らむ膨出部を備えたプラグ保持用バネに構成した請求項１のジャック。
【請求項５】
前記直立板部の内部側の一部をその長さ方向に沿ってＵ字形に切り込んで帯状小片を形成し、該帯状小片を、その一部に前記プラグ挿入孔側に向かって膨らむ膨出部を備えたプラグ保持用バネに構成した請求項２のジャック
【発明の詳細な説明】
【技術分野】
【０００１】
本発明は、オーディオ信号、ビデオ信号、その他の電気信号の授受に用いられ、プラグ挿入孔の周壁にその外端付近を除いて軸方向に沿った切欠部が生じているジャックに於いて、その切欠部を適切に閉じて、プラグの直線的な挿入及びその保持、並びに該切欠部に対向する位置に配した接片のプラグに対する適切なバネ荷重を確保し得るように構成したジャックに関するものである。
【背景技術】
【０００２】
この種のジャックは、対応するプラグと共に小型化と同時に多極化も要請され、小型のハウジング中にプラグ挿入孔に臨む多数の接片が配されるようになってきている。
【０００３】
例えば、プラグ挿入孔に挿入されたプラグの電極との間で種々の電気信号の授受を行うための接片に加えて、該プラグの挿入を検出するスイッチ用の可動片等も配されることがあり、このような場合には、該プラグ挿入孔には更にその周側壁からその内方に臨む接片類が増加し、挿入されたプラグの対応する電極に接触させるべく延長する都合上、周壁にその外端付近を除いて軸方向に長い切欠部を形成せざるを得ない場合も生じる。
【０００４】
そしてプラグ挿入孔の周壁にこのような切欠部が存在する場合は、該プラグ挿入孔にプラグを挿入した場合に、該プラグに対する該周壁による直線案内作用が不十分になり、該プラグが切欠部側に傾いて挿入される虞も生じる。このような現象が生じると、該プラグの挿脱動作に伴って、該プラグ自体及びプラグ挿入孔の周壁に削れが生じ、かつ該切欠部と対向する側に位置する接片の接触荷重が必要レベルを下回る状態にまで低下する虞も生じる。
【０００５】
特許文献１の多極ジャックは、該文献の図４に示されているように、その第３極２３の電極要素２３Ａがボディ主部１１の後端開口から挿入され、プラグ挿入孔の外端近傍まで延長され、その基部の取付部２３ａでボディ主部１１に固定されている。この特許文献１の多極ジャックでは、該電極要素２３Ａを以上のように配設する都合上、同図に示すように、該プラグ挿入孔の周壁の該当する部分を長く切り欠き、こうして周壁に生じた軸方向に長い切欠部中に該電極要素２３Ａを配することとなっている。
【０００６】
この特許文献１の多極ジャックでは、更にボディ主部１１の先端側に突出させた筒状部１２の外周に追加電極を配置した構成となっており、対応するプラグは、前記筒状部１２及び前記ボディ主部１１に構成したプラグ挿入孔に挿入されるプラグ本体の他に、これと同心状に構成した外筒部が必要であり、プラグ本体をプラグ挿入孔に挿入しながら該外筒部を該筒状部１２に外装して、該外筒部内周に配した対応する電極を該追加電極に接触させて電気的に接続する構成となっている筈である。
【０００７】
従ってこの特許文献１の多極ジャックの場合は、前記のように、プラグ挿入孔の周壁に殆ど外端付近を除いて軸方向に沿った長い切欠部を有しているものではあるが、筒状部の外周に追加電極を有するものであり、対応するプラグは、該追加電極との電気的接続のためにプラグ本体に外筒部を備えた構成となっている筈であり、それ故、プラグ本体のみであれば、プラグ挿入孔にこれを挿入した場合に、該プラグ本体が該切欠部側に傾く虞があり、これに伴って前記諸問題が発生する虞があるが、同時に前記筒状部に外装する外筒部によって、そのようなプラグ本体の傾きは抑制され、ほぼ直線的な挿入状態が確保されるようになっている。
【０００８】
それ故、この特許文献１の多極ジャックでは、前記切欠部による問題は顕在化しないが、このような多極ジャックで、前記筒状部１２の外周に前記のような追加電極を配することのないタイプのそれの場合には、前記外筒部がなくなり、先に述べたように、前記切欠部の存在に起因して生じる挿入されたプラグの傾きの問題が顕在化することになる。
【０００９】
【特許文献１】特開２００２−２０８４６２号公報
【発明の開示】
【発明が解決しようとする課題】
【００１０】
本発明は、接片の取付上の都合その他からプラグ挿入孔の周壁にその外端付近を除いて軸方向に沿った長い切欠部が生じている場合に、これによって生じる挿入時のプラグの傾き、その傾きに起因する該プラグ自体及びプラグ挿入孔周壁の削れ現象、並びに挿入されたプラグに対する接片のバネ荷重の低下、更に該バネ荷重の低下に起因するプラグに対する保持力及び接触信頼性の低下等の問題を解決すべく、該切欠部の全部又は一部を適切に閉じることができるジャックを提供することを解決の課題とする。
【課題を解決するための手段】
【００１１】
本発明の１は、プラグ挿入孔を備えたハウジング及び該ハウジングに該プラグ挿入孔内に臨むべく配した複数の接片からなり、該プラグ挿入孔の周壁にその外端付近を除いて軸方向に沿った切欠部を有するジャックに於いて、
前記プラグ挿入孔の周壁に、その切欠部の全部又は一部を閉じるべく、金属板を配設したジャックである。
【００１２】
本発明の２は、本発明の１のジャックに於いて、前記プラグ挿入孔の前記切欠部と対向する側に位置する接片の基部を延長してＵ字形に折曲し、一方の直立板部となる該基部と他方の直立板部とその間の底板部とからなるＵ字形金属片を形成し、前記金属板として、該Ｕ字形金属片の他方の直立板部を採用し、該底板部を該プラグ挿入孔の後端に配置し、かつ該他方の直立板部を該切欠部の全部又は一部を閉じるべく配置して固定したものである。
【００１３】
本発明の３は、本発明の１のジャックに於いて、前記金属板として、帯状金属片を採用し、該帯状金属片を、前記プラグ挿入孔の前記切欠部の全部又は一部を閉じるべく配置して固定したものである。
【００１４】
本発明の４は、本発明の１のジャックに於いて、前記金属板として帯状の弾性金属片を採用し、その内部側の一部をその長さ方向に沿ってＵ字形に切り込んで帯状小片を形成し、該帯状小片を、その一部に前記プラグ挿入孔側に向かって膨らむ膨出部を備えたプラグ保持用バネに構成したものである。
【００１５】
本発明の５は、本発明の２のジャックに於いて、前記直立板部の内部側の一部をその長さ方向に沿ってＵ字形に切り込んで帯状小片を形成し、該帯状小片を、その一部に前記プラグ挿入孔側に向かって膨らむ膨出部を備えたプラグ保持用バネに構成したものである。
【発明の効果】
【００１６】
本発明の１のジャックによれば、プラグをそのプラグ挿入孔に挿入した場合に、そのプラグ挿入孔の周壁に外端付近を除いて軸方向に沿った切欠部を有していても、この切欠部の全部又は一部が金属板によって適切に閉じられているため、挿入されたプラグが該切欠部側に傾くことがない。そのため挿入されたプラグが該切欠部側に傾くことに起因する種々の問題、例えば、プラグの挿脱の際に、プラグ自体及びプラグ挿入孔の周壁に、相互の不正常な角度での接触によって削れが生じる現象、プラグに接触する接片のバネ荷重を確保し得なくなる現象、及びこれを通じてプラグをプラグ挿入孔内に保持する保持力及び接触信頼性の低下が生じる現象等の問題を回避することができる。
【００１７】
また前記切欠部を前記金属板で閉じるものであるため、ハウジングを構成する絶縁性プラスチック類と異なり、非常に薄いそれで必要な強度を確保できるため、他の接片類その他の部材とも干渉を生じることなく設置することが可能となる。
【００１８】
本発明の２のジャックによれば、前記金属板を、元来、切欠部と対向する位置に配設される接片を延長してこれと一体に構成したため、部品点数が増加することなく、しかも一体となっている接片と同時にハウジング中に組み込むことができるため、組込工数も増加しない利点が得られる。
【００１９】
本発明の３のジャックによれば、前記金属板として独立した部材を用いたため、部品点数は一つ増加し、組込工数も一つ増加するが、該金属板は、それ自体小型で単純な構成の部材であるため、それ自体の製造が容易であり、組込作業も簡単となる。
【００２０】
なお、この金属板は、前記プラグ挿入孔の周壁に生じている切欠部に於いて、概ねその切欠開口の最外部、即ち、プラグ挿入孔の周壁の延長面の面内に配することとする。また該金属板は該切欠部の全体に配しても良いが、前部側、即ち、ハウジングの前端側、または中間部、或いは後部側のいずれに配しても良い。例えば、ハウジングの後部側に対応する側にのみ配する場合は、プラグ挿入孔に挿入してきたプラグの先端側が該切欠部側に傾く前にこれによって直線的に進入させるべく案内できるように、傾く虞のある部位より前部側から後部側までの範囲をカバーし得るように配置する。
【００２１】
本発明の４及び５のジャックによれば、金属板を構成する帯状の弾性金属片又は直立板部の内側の一部にプラグ保持用バネを構成し、対向する接片とこれとでプラグ挿入孔に挿入されたプラグを適切なバネ荷重で挟持できるようにしたため、前記のような切欠部が存在していても、プラグを適切に保持することが可能になったものである。
【発明を実施するための最良の形態】
【００２２】
発明を実施するための最良の形態を本発明の実施例に基づいて図面を参照しながら説明する。
【００２３】
この実施例のジャックは、プラグが挿入されたか、及び挿入されたプラグが対応する電気信号用のそれか又は光信号用のそれかを識別可能なプラグ挿入検出機構を備えた電気信号授受用の多極ジャックに適用した例である。
【００２４】
この実施例のジャックは、図１〜図３に示すように、プラグ挿入孔１を備えたハウジング２と、該ハウジング２に該プラグ挿入孔１内に臨むべく配したチップバネ３、リングバネ４、第２リングバネ５、第１スリーブバネ６、メークバネ７及び第２スリーブバネ８からなる接片類と、該プラグ挿入孔１の周壁１ａの切欠部９を閉じるべく、かつプラグｐの傾きを防止すべく配した金属板部（金属板）１０であって、前記チップバネ３から延長して構成した金属板部１０とからなるものである。
【００２５】
前記第１スリーブバネ６、前記メークバネ７及び前記第２スリーブバネ８が前記プラグ挿入検出機構を構成している。
【００２６】
その作用を略述する。プラグｐがプラグ挿入孔１に挿入されると、該第１スリーブバネ６が該プラグｐの周側に押されて後退し、背後のメークバネ７に接触し両者が導通状態になることで、何らかのプラグｐが挿入されたことが検出される。更にプラグｐが最後まで挿入され、その周側のスリーブ電極ｐ４を介して第２スリーブバネ８と第１スリーブバネ６とが導通状態になれば、挿入されたプラグｐが電気信号用のプラグｐであると判断される。第２スリーブバネ８と第１スリーブバネ６とが導通状態にならなければ、周側の当該部分が絶縁体で構成されている光信号用のプラグであると判断される。
【００２７】
前記ハウジング２は絶縁性のプラスチック素材で成形された部材であり、前記プラグ挿入孔１は、図１(a)、図２(a)〜(d)、図３(a)〜(d)、図５(b)及び図６(a)〜(c)に示すように、その中央にその長さ方向に沿って形成されている。該プラグ挿入孔１は、図２(a)、(b)、図３(a)、(b)及び図６(a)、(b)に示すように、該ハウジング２の正面中央に挿入口を開口し、背面中央の開口部にも連通している。
【００２８】
前記ハウジング２には、図２(a)〜(d)、図３(a)〜(d)及び図６(a)〜(c)に示すように、前記プラグ挿入孔１の周りに前記接片類、即ち、チップバネ３、リングバネ４、第２リングバネ５、第１スリーブバネ６、メークバネ７及び第２スリーブバネ８を配置するための空間や取付固定のための溝その他が形成してある。
【００２９】
その内の一部を若干略述すると、図２(a)〜(d)、図３(a)〜(d)及び図６(a)〜(c)に示すように、該プラグ挿入孔１の周壁１ａには、その最奥部の一側部に、挿入されたプラグｐのチップ電極ｐ１に対応させて、前記チップバネ３の接触突部３ｂが進退自在に突出するための開口部１ａ１、一側部の、挿入されたプラグｐのリング電極ｐ２に対応する部位に前記リングバネ４の接触突部が進退自在に突出するための開口部、上部の、挿入されたプラグｐの第２リング電極ｐ３に対応する部位に前記第２リングバネ５の接触突部が進退自在に突出するための開口部、上部の、挿入されたプラグｐのスリーブ電極ｐ４に対応する部位に前記第２スリーブバネ８の接触突部が進退自在に突出するための開口部をそれぞれ形成し、更に該プラグ挿入孔１の周壁１ａには、その他側部の、挿入されたプラグｐのスリーブ電極ｐ４に対応する部位に前記第１スリーブバネ６の接触突部が進退自在に突出することを可能とした切欠開口部である前記切欠部９を形成したものである。以上の内の本発明の要素となる事項及び関連事項については更に以下に詳述する。
【００３０】
前記切欠部９は、図２(a)〜(d)、図３(a)、(c)、(d)及び図６(a)〜(c)に示すように、プラグ挿入孔１の周壁１ａにその最奥部から外端近傍まで延長する切欠開口部として形成したものである。これは、前記したように、前記第１スリーブバネ６を取り付けるための切欠空間であるが、このような切欠空間は、プラグ挿入孔１の周壁１ａの他の部位が他の複数の接片類の設置によって占められているため、自ずと残った部位である前記他側部に決定されたものであるが、更に該第１スリーブバネ６の接触突部は、プラグｐの挿入をいち早く検出する観点から外端近傍に位置させる必要があり、それ故、この第１スリーブバネ６を配設するための該切欠部９は、前記のように、プラグ挿入孔１の周壁１ａの最奥部から外端近傍まで延長した構成となっているものである。
【００３１】
該切欠部９は、図２(a)、(c)、(d)、図３(a)、(c)、(d)及び図６(a)〜(c)に示すように、更に前記第１スリーブバネ６の背後に前記メークバネ７を配することのできる深さに形成する。なお、該第１スリーブバネ６は、プラグ挿入孔１の最奥部に対応する付近では、その先端側の接触突部の膨らみの分だけ該切欠部９の深さ方向の深い位置（即ち、中間部付近）に位置することになり、その前部側、即ち、プラグ挿入孔１側には若干の空間を有することになる。
【００３２】
そのため該切欠部９は、特に図６(a)〜(c)に示すように、プラグ挿入孔１の最奥部に対応する付近では、その深さ方向の中間部に前記第１スリーブバネ６の基部両側を挿入して固定するための固定溝９ａ、９ａを形成し、最深部には、前記メークバネ７の基部両側を挿入して固定するための固定溝９ｂ、９ｂを形成し、更に前記前部側の空間の最前部には、前記金属板部１０の基部側の両側を挿入固定するための固定溝９ｃ、９ｃを形成したものとする。なお該金属板部１０の基部側の両側を挿入固定する固定溝９ｃ、９ｃは、更に詳しくは、前記プラグ挿入孔１の周壁１ａの延長面にほぼ一致させた位置に形成する。
【００３３】
前記ハウジング２の、前記チップバネ３の接触突部３ｂが進退自在に突出するための開口部１ａ１の背後には、図２(a)、(d)、図３(a)、(d)及び図６(a)、(b)に示すように、該チップバネ３を取り付けるための取付空間１１が構成してある。また該取付空間１１の最深部の両側には該チップバネ３の背後側の取付帯部（基部）３ａの両側を挿入して取付固定するための取付溝１１ａ、１１ａが形成してある。更に該取付空間１１の最深部にはその長さ方向（ハウジング２の長さ方向と同方向）中間部に該ハウジング２の側方に開口する係止開口１１ｂが形成してある。
【００３４】
また前記金属板部１０は、前記のように、前記チップバネ３から延長したものである。図４(a)〜(g)に示すように、該チップバネ３は、前記取付帯部３ａの先端側でＵ字形に折り返し、その先端側の途中を膨らませた接触突部３ｂに構成したものであり、該取付帯部３ａの中央部には、これにＵ字形の切り込みを入れ、その内側の舌片状の部分を該接触突部３ｂと反対側に折曲して突出させて構成した返り片３ｃを備え、更に該取付帯部３ａの後端側の側部には該返り片３ｃと同方向に折曲して構成した端子片３ｄを備えたものである。
【００３５】
前記金属板部１０は、該チップバネ３の取付帯部３ａの下端から延長して構成したものである。図２(a)、図３(a)及び図４(b)、(g)に示すように、該チップバネ３の取付帯部（基部）３ａの下端から延長して、一方の直立板部である該取付帯部３ａと他方の直立板部である金属板部１０と該取付帯部３ａ及び該金属板部１０の下端間を繋ぐ底板部３ｅとでＵ字形金属片に構成する。以上のように、該取付帯部３ａに対面する位置関係で金属板部１０が構成され、特に図２(a)、(c)、(d)及び図３(a)、(c)、(d)に示すように、底板部３ｅによって結合される取付帯部３ａと金属板部１０との間隔寸法は、概ね、プラグ挿入孔１の直径にプラグｐ挿入時のチップバネ３の接触突部３ｂと取付帯部３ａとの間隔を加えた寸法に等しく構成する。即ち、底板部３ｅの寸法を概ねそのような寸法に一致させたものとする。
【００３６】
該金属板部１０は、図４(a)、(b)、(d)、(f)、(g)に示すように、その先端を前記チップバネ３から離れる方向に斜めに折曲した案内片１０ａに構成し、その直下にチップバネ３側に膨らむ接触突部１０ｂを構成し、更にこれより下方、即ち、底板部３ｅ側に該金属板部１０の内部側の一部をその長さ方向に沿ってＵ字形に切り込んで上向きの帯状小片を形成し、該帯状小片を、その上端付近に前記チップバネ３側に向かって膨らむ膨出部１０ｃ１を備えたプラグ保持用バネ１０ｃに構成する。また該金属板部１０の基部側の一方の側部には側方に突出させた直角三角形の返り片１０ｄを形成し、該返り片１０ｄをハウジング２の背後側から前記固定溝９ｃに基部側の側部を挿入した場合に該ハウジング２の背後側への抜け止めとする。
【００３７】
なお、以上のチップバネ３及び金属板部１０は、導電性のバネ材である金属板材を用いて構成したものであるが、先に述べた他の接片類も全て同様である。
また、この実施例では、金属板部１０はチップバネ３と一体に構成したが、当然、別体に構成することもできる。この場合は、相互を接続する底板部３ｅを除去した構成とすれば、それぞれは独立した構成要素となる。このように別体に構成した場合、特に金属板部１０については、ハウジング２への固定をより確実なものとすべく、適当な取付手段を更に付加するのが好ましい。
【００３８】
従ってこの実施例のジャックは、ハウジング２の所定の部位に、リングバネ４、第２リングバネ５、第２スリーブバネ８及びアース金具等の若干の付属部材を取り付け、更に該ハウジング２中の前記切欠部９にメークバネ７及び第１スリーブバネ６を取り付け、加えて、前記チップバネ３をそのための取付空間１１に、これと一体の金属板部１０を該切欠部９の最前部に、それぞれ同時に取り付ければ完成である。
【００３９】
前記メークバネ７及び第１スリーブバネ６は、ハウジング２の背後側から該切欠部９に挿入して取り付ける。図２(a)〜(d)及び図３(a)、(c)、(d)に示すように、前者は、該切欠部９の最深部側にその先端側から挿入し、両側部を固定溝９ｂ、９ｂに挿入して固定し、後者は、深さ方向中間部にその先端側から挿入し、基部側両側を固定溝９ａ、９ａに挿入して固定する。
【００４０】
前記チップバネ３及び金属板部１０は、同時に、ハウジング２の背後側から、かつ先端側から挿入して、前者は取付空間１１に、後者は前記切欠部９の最前部に、それぞれ取り付ける。図２(a)〜(d)及び図３(a)、(c)、(d)に示すように、前者は、その取付帯部３ａを該取付空間１１の最深部に当接させながら挿入し、その両側を取付溝１１ａ、１１ａに挿入し、かつ該取付帯部３ａの内側に構成した返り片３ｃを前記係止開口１１ｂの縁部に係止させて固定する。同図に示すように、後者（金属板部１０）は、前記切欠部９の最前部に先端から挿入し、その両側を前記固定溝９ｃ、９ｃに挿入固定する。こうして前記底板部３ｅは、ハウジング２の最後部で概ね前記プラグ挿入孔１に繋がる背後の開口部を閉じる状態に位置することになる。
【００４１】
従ってこの実施例のジャックによれば、、プラグｐをそのプラグ挿入孔１に挿入すると、このプラグ挿入孔１の周壁１ａには外端付近を除いて軸方向に沿った切欠部９を有しているが、図２(a)、(b)及び図３(a)に示すように、該切欠部９の後部側に配設した金属板部１０によってその長さ方向の半分弱程が閉じられているため、挿入されたプラグｐは該切欠部９側に傾くことはない。該プラグｐは、図３(a)に示すように、該プラグ挿入孔１の軸心に沿って直線的に挿入された状態となる。
【００４２】
詳述すると、プラグ挿入孔１に挿入されたプラグｐは、初めはその周壁１ａに案内されて直線的に進み、すぐに切欠部９の位置する部位まで進入するが、入口付近では前記第１スリーブバネ６の先端付近に接触してその作用も受け、更に直線的に進む。その後、長さ方向の中間部を過ぎる付近まで進入すると、該切欠部９側に傾く虞が生じるが、ここまで進むと、該プラグｐの先端部は、対応する周側が前記金属板部１０の案内片１０ａに接して直線方向に案内されるに至り、そのまま直線的に進行することになる。更に進むと、一方では、その進行途中で該プラグｐの対応する周側が該金属板部１０のプラグ保持用バネ１０ｃに形成した膨出部１０ｃ１に接触し、他方で、該プラグｐの周側の反対側の部位が、この金属板部１０と対向する位置関係で位置するチップバネ３の接触突部３ｂに接触する。こうして該プラグｐの直進進行状態は両者によって保持され、この後、僅かに進んで最奥部に至り、該プラグｐは挟持状態となっている以上の両者によって確実に保持された状態となる。
【００４３】
従ってプラグ挿入孔１に挿入したプラグｐが前記切欠部９側に傾くことはなくなり、これに起因する種々の問題、例えば、プラグｐの挿脱の際に、プラグｐ自体及びプラグ挿入孔１の周壁１ａに、相互の不正常な角度での接触によって削れが生じる現象、プラグｐに接触するチップバネ３その他のバネ荷重を確保し得なくなる現象、及びこれを通じてプラグｐをプラグ挿入孔１内に保持する保持力及び接触信頼性の低下が生じる現象等の問題を全て解消することができる。
【００４４】
また前記切欠部９を、チップバネ３と一体に構成した金属板部１０で閉じることとしたものであるため、ハウジング２を構成する絶縁性プラスチック類による場合と異なり、非常に薄いそれで必要な強度を確保できるため、他の接片類、例えば、第１スリーブバネ６その他の部材とも干渉を生じることなく設置することができたものである。
【００４５】
この実施例では、前記金属板部１０を、チップバネ３と一体に構成したため、部品点数を増加させることがなく、かつ一体となっているチップバネ３と同時にハウジング２中に組み込むことができるため、組立工数も増加しない利点が得られる。
【００４６】
またこの実施例では、金属板部１０にプラグ保持用バネ１０ｃを構成し、このプラグ保持用バネ１０ｃとこれに対向するチップバネ３とで、プラグ挿入孔１に挿入されたプラグｐを適切なバネ荷重で挟持できるようにしたため、該プラグｐを確実に保持することが可能になったものでもある。
【図面の簡単な説明】
【００４７】
【図１】(a)は本発明を適用した実施例のジャックの正面図、(b)は平面図、(c)は底面図、(d)は右側面図。
【図２】(a)は図１(a)のＡ−Ａ線断面図、(b)は図１(b)のＢ−Ｂ線断面図、(c)は図１(b)のＣ−Ｃ線断面図、(d)は図１(b)のＤ−Ｄ線断面図。
【図３】(a)はプラグを挿入した状態の図１(a)のＡ−Ａ線断面図、(b)はプラグを挿入した状態の図１(b)のＢ−Ｂ線断面図、(c)はプラグを挿入した状態の図１(b)のＣ−Ｃ線断面図、(d)はプラグを挿入した状態の図１(b)のＤ−Ｄ線断面図。
【図４】(a)は実施例のチップバネと金属板部の左側面図、(b)は正面図、(c)は右側面図、(d)は平面図、(e)は底面図、(f)は(b)のＥ−Ｅ線断面図、(g)は斜視図。
【図５】実施例のハウジングの平面図、(b)は正面図。
【図６】(a)は図５(b)のＦ−Ｆ線断面図、(b)は図５の(b)のＧ−Ｇ線断面図、(c)は図５(a)のＨ−Ｈ線断面図。
【符号の説明】
【００４８】
１    プラグ挿入孔
１ａ  周壁
１ａ１  開口部
２    ハウジング
３    チップバネ
３ａ  取付帯部（基部）
３ｂ  接触突部
３ｃ  返り片
３ｄ  端子片
３ｅ  底板部
４    リングバネ
５    第２リングバネ
６    第１スリーブバネ
７    メークバネ
８    第２スリーブバネ
９    切欠部
９ａ、９ｂ、９ｃ  固定溝
１０  金属板部（金属板）
１０ａ  案内片
１０ｂ  接触突部
１０ｃ  プラグ保持用バネ
１０ｃ１  膨出部
１０ｄ  返り片
１１  取付空間
１１ａ  取付溝
１１ｂ  係止開口
ｐ    プラグ
ｐ１  チップ電極
ｐ２  リング電極
ｐ３  第２リング電極
ｐ４  スリーブ電極
【図１】
2008300213.tif 000003
【図２】
2008300213.tif 000004
【図３】
2008300213.tif 000005
【図４】
2008300213.tif 000006
【図５】
2008300213.tif 000007
【図６】
2008300213.tif 000008